(57)【要約】【課題】駆動力伝達機構のラックとピニオンとの噛み合い状態（条件）を安定させること。【解決手段】この発明は、半導体型光源２Ｕ、２Ｄと、反射面１０Ｕ、１０Ｄを有する固定リフレクタ３と、反射面１２Ｕ、１２Ｄを有する可動リフレクタ４Ｕ、４Ｄと、ソレノイド５と、駆動力伝達機構６と、を備える。駆動力伝達機構６は、ソレノイド５に固定されているラック１４と、可動リフレクタ４Ｕ、４Ｄに固定されているピニオン１５Ｕ、１５Ｄと、から構成されている。ピニオン１５Ｕ、１５Ｄが噛み合うラック１４の歯部１７Ｕ、１７Ｄは、ラック１４のソレノイド５との固定中心Ｏを中心とする円形の一部の円弧形状をなす。この結果、この発明は、駆動力伝達機構６のラック１４とピニオン１５Ｕ、１５Ｄとの噛み合い状態（条件）を安定させることができる。【選択図】        図１
2013038027.tif 000002
【特許請求の範囲】
【請求項１】
少なくとも第１配光パターンと第２配光パターンとを切り替えて車両の前方に照射する車両用前照灯において、
半導体型光源と、
前記半導体型光源からの光を反射させる反射面を有する固定リフレクタと、
前記半導体型光源からの光を反射させる反射面を有し、かつ、少なくとも第１位置と第２位置との間を回転可能に配置されている可動リフレクタと、
駆動源と、
前記駆動源と前記可動リフレクタとの間に設けられていて、前記駆動源の駆動力を前記可動リフレクタに伝達して、前記可動リフレクタを少なくとも第１位置と第２位置との間を移動させる駆動力伝達機構と、
を備え、
前記駆動力伝達機構は、前記駆動源に固定されているラックと、前記可動リフレクタに固定されていて、前記ラックに噛み合うピニオンと、から構成されていて、
前記ピニオンが噛み合う前記ラックの歯部は、前記ラックの前記駆動源との固定中心を中心とする円形の一部の円弧形状をなす、
ことを特徴とする車両用前照灯。
【請求項２】
少なくとも第１配光パターンと第２配光パターンとを切り替えて車両の前方に照射する車両用前照灯において、
半導体型光源と、
前記半導体型光源からの光を反射させる反射面を有する固定リフレクタと、
前記半導体型光源からの光を反射させる反射面を有し、かつ、少なくとも第１位置と第２位置との間を回転可能に配置されている可動リフレクタと、
駆動源と、
前記駆動源と前記可動リフレクタとの間に設けられていて、前記駆動源の駆動力を前記可動リフレクタに伝達して、前記可動リフレクタを少なくとも第１位置と第２位置との間を移動させる駆動力伝達機構と、
を備え、
前記駆動力伝達機構は、前記駆動源に固定されているラックと、前記可動リフレクタに固定されていて、前記ラックに噛み合うピニオンと、から構成されていて、
前記ピニオンが噛み合う前記ラックの歯部は、前記ラックの前記駆動源との固定中心を中心とする円形形状をなす、
ことを特徴とする車両用前照灯。
【発明の詳細な説明】
【技術分野】
【０００１】
この発明は、少なくとも、第１配光パターン、たとえば、ロービーム用配光パターン（すれ違い用配光パターン）と、第２配光パターン、たとえば、ハイビーム用配光パターン（走行用配光パターン）とを切り替えて車両の前方に照射する車両用前照灯に関するものである。
【背景技術】
【０００２】
この種の車両用前照灯は、従来からある（たとえば、特許文献１）。以下、従来の車両用前照灯について説明する。従来の車両用前照灯は、半導体型光源と、固定リフレクタと、可動リフレクタと、駆動源と、ラックアンドピニオンから構成されている駆動力伝達機構と、を備えるものである。以下、従来の車両用前照灯の作用について説明する。可動リフレクタが第１位置に位置するときに、半導体型光源を点灯すると、ロービーム用配光パターンが得られる。その可動リフレクタを駆動源および駆動力伝達機構を介して第２位置に位置させると、ハイビーム用配光パターンが得られる。かかる車両用前照灯においては、駆動力伝達機構のラックとピニオンとの噛み合い状態（条件）が安定していることが重要である。
【先行技術文献】
【特許文献】
【０００３】
【特許文献１】特開２０１０−１０８７７７号公報
【発明の概要】
【発明が解決しようとする課題】
【０００４】
ところが、従来の車両用前照灯は、駆動力伝達機構のラックとピニオンとの組立時や組立後の振動や作動負荷などにより、ラックが駆動源との固定中心を中心として回転して、ラックの平歯部とピニオンの円形歯部との噛み合い状態（条件）が不安定となる場合がある。この場合においては、駆動力伝達機構のラックとピニオンとの作動負荷が増加して駆動源を大型化する必要があり、あるいは、ラックの回転を防止する機構を設ける必要がある。この駆動源の大型化やラックの回転防止機構などの部品増加により、製造コストが高く、質量や消費電力が大きくなる傾向にある。
【０００５】
この発明が解決しようとする課題は、駆動力伝達機構のラックとピニオンとの噛み合い状態（条件）を安定させることができる車両用前照灯を提供することにある。
【課題を解決するための手段】
【０００６】
この発明（請求項１にかかる発明）は、半導体型光源と、半導体型光源からの光を反射させる反射面を有する固定リフレクタと、半導体型光源からの光を反射させる反射面を有し、かつ、少なくとも第１位置と第２位置との間を回転可能に配置されている可動リフレクタと、駆動源と、駆動源と可動リフレクタとの間に設けられていて、駆動源の駆動力を可動リフレクタに伝達して、可動リフレクタを少なくとも第１位置と第２位置との間を移動させる駆動力伝達機構と、を備え、駆動力伝達機構が、駆動源に固定されているラックと、可動リフレクタに固定されていてラックに噛み合うピニオンと、から構成されていて、ピニオンが噛み合うラックの歯部が、ラックの駆動源との固定中心を中心とする円形の一部の円弧形状をなす、ことを特徴とする。
【０００７】
この発明（請求項２にかかる発明）は、半導体型光源と、半導体型光源からの光を反射させる反射面を有する固定リフレクタと、半導体型光源からの光を反射させる反射面を有し、かつ、少なくとも第１位置と第２位置との間を回転可能に配置されている可動リフレクタと、駆動源と、駆動源と可動リフレクタとの間に設けられていて、駆動源の駆動力を可動リフレクタに伝達して、可動リフレクタを少なくとも第１位置と第２位置との間を移動させる駆動力伝達機構と、を備え、駆動力伝達機構が、駆動源に固定されているラックと、可動リフレクタに固定されていてラックに噛み合うピニオンと、から構成されていて、ピニオンが噛み合うラックの歯部が、ラックの駆動源との固定中心を中心とする円形形状をなす、ことを特徴とする。
【発明の効果】
【０００８】
この発明（請求項１、２にかかる発明）の車両用前照灯は、ピニオンが噛み合うラックの歯部が、ラックの駆動源との固定中心を中心とする円形の一部の円弧形状、あるいは、円形形状をなすものである。この結果、駆動力伝達機構のラックとピニオンとの組立時や組立後の振動や作動負荷などにより、ラックが駆動源との固定中心を中心として回転した場合であっても、ラックの円弧形状の歯部あるいは円形形状の歯部とピニオンの円形歯部との噛み合い状態（条件）が一定である。このために、駆動力伝達機構のラックとピニオンとの作動負荷が増加して駆動源を大型化する必要がなく、あるいは、ラックの回転を防止する機構を設ける必要がないので、製造コストや質量や消費電力を低く抑制することができる。
【図面の簡単な説明】
【０００９】
【図１】図１は、この発明にかかる車両用前照灯の実施形態１を示したランプユニットの斜視図である。
【図２】図２は、図１におけるＩＩ矢視図（ランプユニットの側面図）である。
【図３】図３は、第１位置に位置する上側可動リフレクタおよび下側可動リフレクタを示す側面図（固定リフレクタを除いた状態の側面図）である。
【図４】図４は、第２位置に位置する上側可動リフレクタおよび下側可動リフレクタを示す側面図（固定リフレクタを除いた状態の側面図）である。
【図５】図５は、ラックの歯部とピニオンの歯部との噛み合い状態を示す説明図である。
【図６】図６は、斜めカットオフラインと水平カットオフラインとを有するロービーム用配光パターンを示す説明図である。
【図７】図７は、ハイビーム用配光パターンを示す説明図である。
【図８】図８は、この発明にかかる車両用前照灯の実施形態２を示したランプユニットの側面図（第１位置に位置する上側可動リフレクタを示す側面図であって、固定リフレクタを除いた状態の側面図）である。
【図９】図９は、ラックの歯部とピニオンの歯部との噛み合い状態を示す説明図である。
【図１０】図１０は、この発明にかかる車両用前照灯の実施形態３を示したラックの歯部とピニオンの歯部との噛み合い状態の説明図である。
【図１１】図１１は、この発明にかかる車両用前照灯の実施形態４を示したラックの歯部とピニオンの歯部との噛み合い状態の説明図である。
【図１２】図１２は、この発明にかかる車両用前照灯の実施形態５を示し、デイタイムランニングライト用配光パターンを示す説明図である。
【発明を実施するための形態】
【００１０】
以下、この発明にかかる車両用前照灯の実施形態を図面に基づいて詳細に説明する。なお、この実施形態によりこの発明が限定されるものではない。図面において、符号「ＶＵ−ＶＤ」は、スクリーンの上下の垂直線を示す。符号「ＨＬ−ＨＲ」は、スクリーンの左右の水平線を示す。なお、この明細書および特許請求の範囲において、「上、下、前、後、左、右」とは、この発明にかかる車両用前照灯を車両（自動車）に取り付けた際の車両の「上、下、前、後、左、右」である。
【００１１】
（実施形態１の構成の説明）
図１〜図７は、この発明にかかる車両用前照灯の実施形態１を示す。以下、この実施形態１における車両用前照灯の構成について説明する。図中、符号１は、この実施形態１における車両用前照灯（自動車用前照灯）である。前記車両用前照灯１は、図６に示すロービーム用配光パターン（すれ違い用配光パターン）ＬＰと、図７に示すハイビーム用配光パターン（走行用配光パターン）、を切り替えて車両の前方に照射するものである。前記ロービーム用配光パターンＬＰは、エルボー点Ｅを境に、走行車線側（左側）に斜めカットオフラインＣＬ１を有し、かつ、対向車線側（右側）に水平カットオフラインＣＬ２を有する。前記斜めカットオフラインＣＬ１とスクリーンの水平線ＨＬ−ＨＲとのなす角度は、約１５°である。前記ハイビーム用配光パターンは、第１ハイビーム用配光パターンＨＰ１および第２ハイビーム用配光パターンＨＰ２および第３ハイビーム用配光パターンＨＰ３および減光ロービーム用配光パターンＬＰ１を有する。
【００１２】
図１〜図４に示すように、前記車両用前照灯１は、上側半導体型光源２Ｕおよび下側半導体型光源２Ｄと、固定リフレクタ３と、上側可動リフレクタ４Ｕおよび下側可動リフレクタ４Ｄと、駆動源としてのソレノイド５と、駆動力伝達機構６と、光源取付部材（ＬＥＤベース）７と、取付ブラケット８と、ヒートシンク部材９と、図示しないランプハウジングおよびランプレンズ（たとえば、素通しのアウターレンズなど）と、から構成されている。
【００１３】
前記上側半導体型光源２Ｕおよび前記下側半導体型光源２Ｄおよび前記固定リフレクタ３および前記上側可動リフレクタ４Ｕおよび前記下側可動リフレクタ４Ｄおよび前記ソレノイド５および前記駆動力伝達機構６および前記光源取付部材７および前記取付ブラケット８および前記ヒートシンク部材９は、ランプユニットを構成する。前記ランプユニット２Ｕ、２Ｄ、３、４Ｕ、４Ｄ、５、６、７、８、９は、前記ランプハウジングおよび前記ランプレンズにより区画されている灯室内に、たとえば光軸調整機構（図示せず）を介して配置されている。なお、前記灯室内には、前記ランプユニット２Ｕ、２Ｄ、３、４Ｕ、４Ｄ、５、６、７、８、９以外に、フォグランプ、コーナリングランプ、クリアランスランプ、ターンシグナルランプなどの他のランプユニットが配置されている場合がある。
【００１４】
前記光源取付部材７および前記取付ブラケット８は、前記ヒートシンク部材９にそれぞれ相互に位置決めされた状態で固定されている。前記ヒートシンク部材９は、前記光軸調整機構を介して前記ランプハウジングに取り付けられている。
【００１５】
前記半導体型光源２Ｕ、２Ｄは、たとえば、ＬＥＤ、ＥＬ（有機ＥＬ）などの自発光半導体型光源、すなわち、半導体型光源である。この実施形態では、ＬＥＤを使用する。前記上側半導体型光源２Ｕおよび前記下側半導体型光源２Ｄは、前記光源取付部材７の上下の取付面にそれぞれ取り付けられている。
【００１６】
前記固定リフレクタ３は、前記ヒートシンク部材９に固定されている。前記固定リフレクタ３は、パラボラ系の自由曲面（ＮＵＲＢＳ曲面）からなる上側反射面１０Ｕおよび下側反射面１０Ｄを有する。前記上側反射面１０Ｕは、前記上側半導体型光源２Ｕからの光を反射させる。前記下側反射面１０Ｄは、前記下側半導体型光源２Ｄからの光を反射させる。
【００１７】
前記上側可動リフレクタ４Ｕおよび前記下側可動リフレクタ４Ｄの左右両側には、上側回転軸１１Ｕ、下側回転軸１１Ｄがそれぞれ左右水平に一体に設けられている。前記回転軸１１Ｕ、１１Ｄは、前記取付ブラケット８に回転可能に取り付けられている。この結果、前記上側可動リフレクタ４Ｕおよび前記下側可動リフレクタ４Ｄは、前記取付ブラケット８に第１位置（図１および図３に示す位置）と第２位置（図４に示す位置）との間を回転可能に取り付けられている。なお、前記上側可動リフレクタ４Ｕおよび前記下側可動リフレクタ４Ｄには、前記上側可動リフレクタ４Ｕおよび前記下側可動リフレクタ４Ｄを第２位置から第１位置に自動復帰させるスプリング（図示せず）を設ける場合がある。
【００１８】
前記上側可動リフレクタ４Ｕおよび前記下側可動リフレクタ４Ｄは、パラボラ系の自由曲面（ＮＵＲＢＳ曲面）からなる上側反射面１２Ｕ、下側反射面１２Ｄを有する。前記上側反射面１２Ｕは、前記上側半導体型光源２Ｕからの光を反射させる。前記下側反射面１２Ｄは、前記下側半導体型光源２Ｄからの光を反射させる。
【００１９】
前記ソレノイド５は、前記ヒートシンク部材９に固定されている。前記ソレノイド５は、プランジャ（進退ロッド）１３を有する。前記プランジャ１３は、前記ソレノイド５が無通電状態のときには、第１位置（図１〜図３に示す後退位置）に位置し、前記ソレノイド５が通電状態のときには、第２位置（図４に示す前進位置）に位置する。前記ソレノイド５には、前記プランジャ１３を第２位置から第１位置に自動復帰させるスプリング（図示せず）が設けられている。
【００２０】
前記駆動力伝達機構６は、前記上側可動リフレクタ４Ｕおよび前記下側可動リフレクタ４Ｄの前記回転軸１１Ｕ、１１Ｄと、前記ソレノイド５の前記プランジャ１３との間に設けられている。前記駆動力伝達機構６は、前記ソレノイド５の駆動力を前記上側可動リフレクタ４Ｕおよび前記下側可動リフレクタ４Ｄに伝達して、前記上側可動リフレクタ４Ｕおよび前記下側可動リフレクタ４Ｄを第１位置と第２位置との間を移動させるものである。
【００２１】
前記駆動力伝達機構６は、ラック１４と、前記ラック１４に上下から噛み合う上側ピニオン１５Ｕおよび下側ピニオン１５Ｄと、から構成されている。前記ラック１４は、前記プランジャ１３の一端（先端）に固定されている。前記上側ピニオン１５Ｕおよび前記下側ピニオン１５Ｄは、前記上側反射面１０Ｕ、前記下側反射面１０Ｄの一端にそれぞれ固定されている。前記駆動力伝達機構６は、前記ラック１４の直線運動を、前記上側ピニオン１５Ｕおよび前記下側ピニオン１５Ｄの回転運動に、変換する機構である。
【００２２】
前記ラック１４は、この例では、金属部材から構成されている。前記ラック１４は、上下に上側歯部１７Ｕおよび下側歯部１７Ｄがそれぞれ設けられていて、左右両側に平面の面取が設けられている。前記上側歯部１７Ｕおよび前記下側歯部１７Ｄは、前記プランジャ１３の中心軸、すなわち、前記ラック１４が前記ソレノイド５の前記プランジャ１３に固定されている中心（前記ラック１４の前記ソレノイド５との固定中心）Ｏを中心とする円形の一部の円弧形状をなす。前記ラック１４の円弧形状の前記上側歯部１７Ｕと前記下側歯部１７Ｄとには、前記上側ピニオン１５Ｕの円形歯部と前記下側ピニオン１５Ｄの円形歯部とがそれぞれ噛み合っている。
【００２３】
前記駆動力伝達機構６には、前記上側可動リフレクタ４Ｕおよび前記下側可動リフレクタ４Ｄを第１位置に位置させるストッパと、前記上側可動リフレクタ４Ｕおよび前記下側可動リフレクタ４Ｄを第２位置に位置させるストッパとがそれぞれ設けられている。
【００２４】
（実施形態１の作用の説明）
以下、この実施形態１における車両用前照灯１は、以上のごとき構成からなり、以下、その作用について説明する。
【００２５】
まず、上側可動リフレクタ４Ｕおよび下側可動リフレクタ４Ｄを第１位置（図１、図３に示す状態の位置）に位置させる。すなわち、ソレノイド５への通電を遮断すると、スプリングの作用および図示しないストッパの作用により、上側可動リフレクタ４Ｕおよび下側可動リフレクタ４Ｄが第１位置に位置する。このときに、上側半導体型光源２Ｕおよび下側半導体型光源２Ｄを点灯発光させる。すると、上側半導体型光源２Ｕおよび下側半導体型光源２Ｄから光が放射される。
【００２６】
この光の一部は、上側可動リフレクタ４Ｕおよび下側可動リフレクタ４Ｄにより遮蔽される。残りの光は、固定リフレクタ３の上側反射面１０Ｕおよび下側反射面１０Ｄのロービーム用反射面で反射される。この反射光は、図６に示すロービーム用配光パターンＬＰとして車両の前方に照射される。
【００２７】
つぎに、上側可動リフレクタ４Ｕおよび下側可動リフレクタ４Ｄを第２位置（図４に示す状態の位置）に位置させる。すなわち、ソレノイド５に通電してソレノイド５を駆動させると、プランジャ１３を介してラック１４が第１位置から第２位置に前進移動する。すると、ラック１４の円弧形状の上側歯部１７Ｕ、下側歯部１７Ｄに円形歯部がそれぞれ噛み合っている上側ピニオン１５Ｕ、下側ピニオン１５Ｄが回転する。この駆動力伝達機構６のラック１４および上側ピニオン１５Ｕ、下側ピニオン１５Ｄを介して、ソレノイド５の駆動力が直線運動から回転運動に変換されて上側可動リフレクタ４Ｕおよび下側可動リフレクタ４Ｄに伝達される。この結果、上側可動リフレクタ４Ｕおよび下側可動リフレクタ４Ｄが第１位置から第２位置に同期して回転し図示しないストッパの作用により第２位置に位置する。また、上側ピニオン１５Ｕおよび下側ピニオン１５Ｄがラック１４の他端部（左端部）の高さＨ１が高い上側歯部１７Ｕ下側歯部１７Ｄにそれぞれ噛み合っている。このときに、上側半導体型光源２Ｕおよび下側半導体型光源２Ｄを点灯発光させる。すると、上側半導体型光源２Ｕおよび下側半導体型光源２Ｄから光が放射される。
【００２８】
この光は、上側可動リフレクタ４Ｕの上側反射面１２Ｕおよび下側可動リフレクタ４Ｄの下側反射面１２Ｄで反射される。また、上側可動リフレクタ４Ｕの上側反射面１２Ｕおよび下側可動リフレクタ４Ｄの下側反射面１２Ｄに入射しなかった残りの光は、固定リフレクタ３の上側反射面１０Ｕおよび下側反射面１０Ｄで反射される。この反射光は、図７に示すハイビーム用配光パターンＨＰ１、ＨＰ２、ＨＰ３、ＬＰ１が車両の前方に照射される。
【００２９】
ここで、駆動力伝達機構６のラック１４と上側ピニオン１５Ｕおよび下側ピニオン１５Ｄとの組立時や組立後の振動や作動負荷などにより、ラック１４がソレノイド５との固定中心（プランジャ１３の中心軸）Ｏを中心として回転した場合であっても、ラック１４の円弧形状の上側歯部１７Ｕ、下側歯部１７Ｄと上側ピニオン１５Ｕの円形歯部、下側ピニオン１５Ｄの円形歯部とが一定の状態（条件）で噛み合っている。
【００３０】
（実施形態１の効果の説明）
この実施形態１における車両用前照灯１は、以上のごとき構成および作用からなり、以下、その効果について説明する。
【００３１】
この実施形態１における車両用前照灯１は、上側ピニオン１５Ｕの円形歯部、下側ピニオン１５Ｄの円形歯部が噛み合うラック１４の上側歯部１７Ｕ、下側歯部１７Ｄが、ラック１４のソレノイド５との固定中心（プランジャ１３の中心軸）Ｏを中心とする円形の一部の円弧形状をなすものである。この結果、駆動力伝達機構６のラック１４と上側ピニオン１５Ｕおよび下側ピニオン１５Ｄとの組立時や組立後の振動や作動負荷などにより、ラック１４がソレノイド５との固定中心（プランジャ１３の中心軸）Ｏを中心として回転した場合であっても、ラック１４の円弧形状の上側歯部１７Ｕ、下側歯部１７Ｄと上側ピニオン１５Ｕの円形歯部、下側ピニオン１５Ｄの円形歯部との噛み合い状態（条件）が一定である。このために、駆動力伝達機構６のラック１４と上側ピニオン１５Ｕおよび下側ピニオン１５Ｄとの作動負荷が増加してソレノイド５を大型化する必要がなく、あるいは、ラック１４の回転を防止する機構を設ける必要がないので、製造コストや質量や消費電力を低く抑制することができる。
【００３２】
（実施形態２の説明）
図８、図９は、この発明にかかる車両用前照灯の実施形態２を示す。以下、この実施形態２における車両用前照灯について説明する。図中、図１〜図７と同符号は、同一のものを示す。
【００３３】
前記の実施形態１における車両用前照灯１は、上側半導体型光源２Ｕおよび下側半導体型光源２Ｄと、上側可動リフレクタ４Ｕおよび下側可動リフレクタ４Ｄと、固定リフレクタ３の上側反射面１０Ｕおよび下側反射面１０Ｄと、上側回転軸１１Ｕおよび下側回転軸１１Ｄと、上側可動リフレクタ４Ｕの上側反射面１２Ｕおよび下側可動リフレクタ４Ｄの下側反射面１２Ｄと、上側ピニオン１５Ｕおよび下側ピニオン１５Ｄと、ラック１４の円弧形状の上側歯部１７Ｕおよび下側歯部１７Ｄと、を備えるものである。すなわち、上側ユニットおよび下側ユニットを備えるものである。これに対して、この実施形態２における車両用前照灯１Ａは、上側半導体型光源（図示せず）と、上側可動リフレクタ４Ｕと、固定リフレクタ（図示せず）の上側反射面（図示せず）と、上側回転軸１１Ｕと、上側可動リフレクタ４Ｕの上側反射面１２Ｕと、上側ピニオン１５Ｕと、ラック１４Ａの円弧形状の上側歯部１７Ｕと、を備えるものである。すなわち、上側ユニットのみを備えるものである。
【００３４】
この実施形態２における車両用前照灯１Ａは、前記の実施形態１における車両用前照灯１とほぼ同様の作用効果を達成することができる。特に、この実施形態２における車両用前照灯１Ａは、一部の構成部品を半分にすることができるので、部品点数が軽減でき、かつ、組付工程が軽減でき、その分、製造コストを安価にすることができる。このように、この実施形態２における車両用前照灯１Ａは、半導体型光源の光量（光出力）が大きい場合には最適である。
【００３５】
（実施形態３の説明）
図１０は、この発明にかかる車両用前照灯の実施形態３を示す。以下、この実施形態３における車両用前照灯について説明する。図中、図１〜図９と同符号は、同一のものを示す。
【００３６】
前記の実施形態２における車両用前照灯１Ａは、ラック１４Ａの上側歯部１７Ｕが円形の一部の円弧形状をなすものである。この実施形態３における車両用前照灯は、ラック１４Ｂの歯部１７が円形形状をなすものである。
【００３７】
この実施形態３における車両用前照灯は、前記の実施形態２における車両用前照灯１Ａとほぼ同様の作用効果を達成することができる。
【００３８】
（実施形態４の説明）
図１１は、この発明にかかる車両用前照灯の実施形態４を示す。以下、この実施形態４における車両用前照灯について説明する。図中、図１〜図１０と同符号は、同一のものを示す。
【００３９】
前記の実施形態１における車両用前照灯１は、ラック１４の上側歯部１７Ｕおよび下側歯部１７Ｄが円形の一部の円弧形状をなすものである。この実施形態４における車両用前照灯は、ラック１４Ｂの歯部１７が円形形状をなすものである。
【００４０】
この実施形態４における車両用前照灯は、前記の実施形態１における車両用前照灯１とほぼ同様の作用効果を達成することができる。
【００４１】
（実施形態５の説明）
図１２は、この発明にかかる車両用前照灯の実施形態５を示す。以下、この実施形態５における車両用前照灯について説明する。図中、図１〜図１１と同符号は、同一のものを示す。
【００４２】
前記の実施形態１、２、３、４における車両用前照灯１、１Ａは、可動リフレクタ４Ｕ、４Ｄが第２位置に位置するときにはハイビーム用配光パターンＨＰ１、ＨＰ２、ＨＰ３、ＬＰ１が得られるものである。これに対して、この実施形態５における車両用前照灯は、可動リフレクタ４Ｕ、４Ｄが少なくとも第２位置、すなわち、可動リフレクタ４Ｕ、４Ｄが第２位置に位置するときには前記のようにハイビーム用配光パターンＨＰ１、ＨＰ２、ＨＰ３、ＬＰ１が得られ、かつ、可動リフレクタ４Ｕ、４Ｄが第３位置に位置するときには図１２に示すようにデイタイムランニングライト用配光パターンＤＰ１、ＤＰ２、ＤＰ３、ＤＰ４、ＤＰ５が得られるものである。
【００４３】
（実施形態１、２、３、４、５以外の例の説明）
なお、前記の実施形態１、２、３、４、５においては、第１配光パターンとしてロービーム用配光パターンＬＰについて説明するものである。ところが、この発明おいては、第１配光パターンとしてロービーム用配光パターンＬＰ以外の配光パターン、たとえば、高速道路用配光パターン、フォグランプ用配光パターンなど、エルボー点を境に、走行車線側に斜めカットオフラインを有し、かつ、対向車線側に水平カットオフラインを有する配光パターンであっても良い。
【００４４】
また、前記の実施形態１、２、３、４、５においては、左側走行車線用の車両用前照灯１について説明する。ところが、この発明においては、右側走行車線用の車両用前照灯についても適用することができる。
【００４５】
さらに、前記の実施形態１、２、３、４、５においては、上側ユニットおよび下側ユニットを備えるもの、あるいは、上側ユニットのみを備えるものである。ところが、この発明においては、下側ユニットのみを備える車両用前照灯、左側ユニットおよび右側ユニットを備える車両用前照灯、左側ユニットのみを備える車両用前照灯、右側ユニットのみを備える車両用前照灯、などであっても良い。
【００４６】
さらにまた、前記の実施形態１、２、３、４、５においては、駆動源としてソレノイド５を使用するものである。ところが、この発明においては、駆動源としてソレノイド５以外の駆動源、たとえば、モータを使用しても良い。この場合、モータの回転運動をラック１４、１４Ａ、１４Ｂの直線運動に変換する機構が必要である。
【００４７】
さらにまた、前記の実施形態１、２、３、４においては、２個の配光パターンが得られるものであり、前記の実施形態５においては、３個の配光パターンが得られるものである。ところが、この発明においては、４個以上の配光パターンが得られるものであっても良い。
【符号の説明】
【００４８】
１、１Ａ  車両用前照灯
２Ｕ  上側半導体型光源
２Ｄ  下側半導体型光源
３  固定リフレクタ
４Ｕ  上側可動リフレクタ
４Ｄ  下側可動リフレクタ
５  ソレノイド（駆動源）
６  駆動力伝達機構
７  光源取付部材
８  取付ブラケット
９  ヒートシンク部材
１０Ｕ  上側反射面
１０Ｄ  下側反射面
１１Ｕ  上側回転軸
１１Ｄ  下側回転軸
１２Ｕ  上側反射面
１２Ｄ  下側反射面
１３  プランジャ
１４、１４Ａ、１４Ｂ  ラック
１５Ｕ  上側ピニオン
１５Ｄ  下側ピニオン
１７  円形形状の歯部
１７Ｕ  円弧形状の上側歯部
１７Ｄ  円弧形状の下側歯部
Ｅ  エルボー点
ＣＬ１  斜めカットオフライン
ＣＬ２  水平カットオフライン
ＬＰ  ロービーム用配光パターン
ＬＰ１  減光ロービーム用配光パターン（ハイビーム用配光パターン）
ＨＰ１  第１ハイビーム用配光パターン
ＨＰ２  第２ハイビーム用配光パターン
ＨＰ３  第３ハイビーム用配光パターン
ＨＬ−ＨＲ  スクリーンの左右の水平線
ＶＵ−ＶＤ  スクリーンの上下の垂直線
ＤＰ１  デイタイムランニングライト用配光パターン
ＤＰ２  デイタイムランニングライト用配光パターン
ＤＰ３  デイタイムランニングライト用配光パターン
ＤＰ４  デイタイムランニングライト用配光パターン
ＤＰ５  デイタイムランニングライト用配光パターン
Ｏ  固定中心
【図１】
2013038027.tif 000003
【図２】
2013038027.tif 000004
【図３】
2013038027.tif 000005
【図４】
2013038027.tif 000006
【図５】
2013038027.tif 000007
【図６】
2013038027.tif 000008
【図７】
2013038027.tif 000009
【図８】
2013038027.tif 000010
【図９】
2013038027.tif 000011
【図１０】
2013038027.tif 000012
【図１１】
2013038027.tif 000013
【図１２】
2013038027.tif 000014